(57)【要約】 【課題】  幼児が回転させることができ、残像を利用した視覚的な刺激を幼児に与えることのできる回転玩具を提供することである。【解決手段】  着色板１２は、基体１１に対して軸線Ｌ１まわりに回転自在に設けられ、軸線Ｌ１の相対位置は、基体１１に対して固定される。着色板１２の表面は、相互に異なる色に着色された複数の単色領域１８を含む。【選択図】      図１
2008301963.tif 000002
【特許請求の範囲】
【請求項１】
基体と、
基体に対して、軸線まわりに回転自在に設けられ、表面に、相互に異なる色に着色された複数の領域が形成される着色板とを含むことを特徴とする回転玩具。
【請求項２】
着色板の一方および他方の表面は、相互に異なる色に着色された複数の領域をそれぞれ含み、一方の表面は凸面であり、他方の表面は凹面であることを特徴とする請求項１に記載の回転玩具。
【請求項３】
外表面が前記軸線を中心とする回転体の少なくとも一部として形成され、着色板の着色された表面の少なくとも一部を覆って、着色板に固定される透明な外周部材をさらに含むことを特徴とする請求項１または２に記載の回転玩具。
【請求項４】
基体に対する着色板の回転を検出する検出部と、
検出部が着色板の回転を検出すると音声を出力する音声出力部とをさらに含むことを特徴とする請求項１〜３に記載の回転玩具。
【請求項５】
前記音声は、複数の言語で歌唱される歌を含み、
前記音声を、異なる言語で歌唱される歌に切替えるスイッチをさらに含むことを特徴とする請求項４に記載の回転玩具。
【発明の詳細な説明】
【技術分野】
【０００１】
本発明は、幼児が回転させることによって遊ぶ玩具に関する。
【背景技術】
【０００２】
図９は、従来技術に係る補助つき独楽１の側面図である。補助つき独楽１を、補助盤２側の回転軸３の端部を下方に向けて置き、カラー４を手指によって支持した状態で補助盤２に巻きつけた糸を引くと、補助つき独楽１を回転させることができる（たとえば特許文献１参照）。特許文献１の補助つき独楽１を含む従来技術に係る回転玩具として、回転玩具に並進の運動量を発生させることなく回転させることのできる回転玩具が知られている。
【０００３】
【特許文献１】実願２００１−７８４５号公報
【発明の開示】
【発明が解決しようとする課題】
【０００４】
しかし、独楽に糸を巻きつける作業および一方の手によって独楽を支持した状態で糸を引く作業は、幼児にとって容易とは言い難い。幼児に回転玩具で遊ばせること、および回転玩具の回転によって、残像を利用した視覚的な刺激を幼児に与えることができないという問題点がある。
【０００５】
本発明の目的は、幼児が回転させることができ、残像を利用した視覚的な刺激を幼児に与えることのできる回転玩具を提供することである。
【課題を解決するための手段】
【０００６】
本発明は、基体と、
基体に対して、軸線まわりに回転自在に設けられ、表面に、相互に異なる色に着色された複数の領域が形成される着色板とを含むことを特徴とする回転玩具である。
【０００７】
また本発明は、着色板の一方および他方の表面は、相互に異なる色に着色された複数の領域をそれぞれ含み、一方の表面は凸面であり、他方の表面は凹面であることを特徴とする。
【０００８】
また本発明は、外表面が前記軸線を中心とする回転体の少なくとも一部として形成され、着色板の着色された表面の少なくとも一部を覆って、着色板に固定される透明な外周部材をさらに含むことを特徴とする。
【０００９】
また本発明は、基体に対する着色板の回転を検出する検出部と、
検出部が着色板の回転を検出すると音声を出力する音声出力部とをさらに含むことを特徴とする。
【００１０】
また本発明は、前記音声は、複数の言語で歌唱される歌を含み、
前記音声を、異なる言語で歌唱される歌に切替えるスイッチをさらに含むことを特徴とする。
【発明の効果】
【００１１】
本発明によれば、着色板は、基体に対して回転自在に設けられるので、着色板を回転させるための外力を付与することによって、着色板が基体に対して移動することがない。また回転したときに、回転によって着色板が基体に対して移動することがない。これによって、幼児にとって着色板の回転を容易にすることができる。着色板の表面には、相互に異なる色に着色された複数の領域が形成されるので、着色板の回転に伴って、着色された複数の領域が残像によって重なり合い、残像によって色が変化して見える。したがって、残像を利用した視覚的な刺激を幼児に与えることができる。また着色された複数の領域が形成されるので、静止している状態と回転している状態とで色が異なって見える。したがって、回転させる意欲を幼児に誘起させることができる。
【００１２】
また本発明によれば、着色板の一方の表面は凸面であり、他方の表面は凹面であるので、凸面である一方の表面と凹面である他方の表面とでは、幼児の目との距離が異なる。したがって、着色板を回転させると、凸面である一方の表面と凹面である他方の表面とでは、幼児の目との距離が変化する。これによって、幼児の立体感に対して刺激を与えることができる。一方および他方の表面は、相互に異なる色に着色された複数の領域をそれぞれ含み、一方の表面の領域と他方の表面の領域とは、回転させたときに残像によって重なり合って見える。一方および他方の表面が平坦である場合に比べて、着色された複数の領域の、残像による重なりあいを複雑にすることができる。したがって、着色された複数の領域の残像による複雑な重なり合いによって、多様な刺激を幼児に与えることができる。
【００１３】
また本発明によれば、外周部材は着色板に対して固定されるので、外部空間に面する表面の任意の一部に手指を触れて外周部材を回転させると、着色板を回転させることができる。外周部材の外表面は、前記軸線を中心とする回転体の少なくとも一部として形成される。これによって、外周部材の表面の任意の一部に手指を触れて外周部材を回転させることが容易になる。したがって、着色板の回転を容易にすることができる。
【００１４】
また本発明によれば、回転玩具は、音声を出力する音声出力部を含んで構成されるので、幼児に対して音声による刺激を与えることができる。また回転玩具は、着色板の回転を検出する検出部を含んで構成されるので、着色板の回転に伴って音声を出力することができる。これによって、回転させる意欲を幼児に誘起させることができる。
【００１５】
また本発明によれば、音声出力部から出力される音声は、複数の言語で歌唱される歌を含み、スイッチを含んで構成されることによって、異なる言語で歌唱される歌に切替えることができる。これによって、幼児に対して複数の言語の音声による刺激を与えることができる。したがって、複数の言語を習得する素養を、幼児に養わせることができる。
【発明を実施するための最良の形態】
【００１６】
以下、図面を参照しながら本発明を実施するための形態を、複数の形態について説明する。以下の説明においては、各形態に先行する形態ですでに説明している事項に対応している部分には同一の参照符を付し、重複する説明を略する場合がある。構成の一部のみを説明している場合、構成の他の部分は、先行して説明している形態と同様とする。実施の各形態で具体的に説明している部分の組合せばかりではなく、特に組合せに支障が生じなければ、実施の形態同士を部分的に組合せることも可能である。
【００１７】
図１は、本発明の第１実施形態に係る回転玩具１０の斜視図である。本発明の第１実施形態に係る回転玩具１０は、幼児が回転させて遊ぶ玩具である。本発明の第１実施形態に係る回転玩具１０は、基体１１と、着色板１２とを含んで構成される。基体１１は、着色板１２を支持する材料である。着色板１２は、着色された板状部材であり、基体１１に対して回転自在にもうけられる。着色板１２は、軸線Ｌ１まわりに回転自在であり、軸線Ｌ１の相対位置は、基体１１に対して固定される。着色板１２の表面には、相互に異なる色に着色された複数の領域が形成される。各領域の色は単色であり、隣り合う領域の色は互いに異なる。以下、単色の領域をそれぞれ「単色領域」と称する。
【００１８】
回転玩具１０は、外周部材１３をさらに含んで構成される。外周部材１３は、着色板１２の着色された表面の少なくとも一部を覆って、着色板１２に固着して設けられる。外周部材１３は、幼児による着色板１２の回転を容易にする部材である。外周部材１３の表面のうち、軸線Ｌ１から半径方向外方に遠ざかった外部空間に面する外表面は、軸線Ｌ１を中心とする回転体の少なくとも一部として形成される。外周部材１３の外表面は、着色板１２とともに、あるいは独自に、回転体を成す。回転体は、直線または曲線を軸線Ｌ１まわりに回転させたときの軌跡が形成する立体図形である。外周部材１３は透明である。
【００１９】
回転玩具１０は、検出部１４と音声出力部１６とをさらに含んで構成される。検出部１４は、着色板１２の回転を検出し、着色板１２が回転しているという情報を示す信号を音声出力部１６に対して出力する。音声出力部１６は、検出部１４から、着色板１２が回転しているという情報を示す信号を受取ると、音声を出力する。音声は、複数の言語で歌唱される歌を含む。回転玩具１０は、スイッチ１７をさらに含んで構成され、スイッチ１７を切替えることによって、音声出力部１６から出力される歌は、異なる言語で歌唱される歌に切替わる。
【００２０】
着色板１２は、基体１１に対して軸線Ｌ１まわりに回転自在に設けられ、軸線Ｌ１の相対位置は、基体１１に対して固定されるので、着色板１２を回転させるための外力を付与することによって、着色板１２が基体１１に対して移動することがない。また回転したときに、回転によって着色板１２が基体１１に対して移動することがない。これによって、幼児にとって着色板１２の回転を容易にする。着色板１２の表面には、単色領域１８が形成されるので、着色板１２の回転に伴って、複数の単色領域１８が残像によって重なり合い、残像によって色が変化して見える。着色板１２の回転によって、残像を利用した視覚的な刺激を幼児に与える。また着色板１２の表面には複数の単色領域１８が形成され、静止している状態と回転している状態とで色が異なって見える。これによって、回転させる意欲を幼児に誘起させる。
【００２１】
外周部材１３は着色板１２に対して固定されるので、外部空間に面する表面の任意の一部に手指を触れて外周部材１３を回転させると、着色板１２が回転する。外周部材１３の外表面は、前記軸線Ｌ１を中心とする回転体の少なくとも一部として形成され、外部空間に面する表面の任意の一部と軸線Ｌ１との距離は、軸線Ｌ１まわりの半径方向に関して一様である。したがって、外周部材１３の表面の任意の一部に手指を触れて外周部材１３を回転させることが容易になる。これによって、着色板１２の回転を容易にする。
【００２２】
回転玩具１０は、音声を出力する音声出力部１６を含んで構成され、幼児に対して音声による刺激を与える。また回転玩具１０は、着色板１２の回転を検出する検出部１４を含んで構成され、着色板１２の回転に伴って音声を出力する。これによって、回転させる意欲を幼児に誘起させる。
【００２３】
音声出力部１６から出力される音声は、複数の言語で歌唱される歌を含み、スイッチ１７を含んで構成されることによって、異なる言語で歌唱される歌に切替えが可能である。音声出力部１６から出力される音声を、異なる言語で歌唱される歌に切替えることによって、幼児に対して複数の言語の音声による刺激を与える。これによって、複数の言語を習得する素養を、幼児に養わせる。
【００２４】
着色板１２の回転に伴って残像によって変化して見える色と、異なる複数の言語によって歌唱される童謡とによって、幼児に刺激を与え、大脳新皮質の脳細胞を刺激し、シナプスによって接続される神経細胞の回路の形成を促す。音声による刺激を、着色板１２の回転による視覚的な変化と同期させて幼児に与えることによって、幼児の知能指数の向上に寄与する。
【００２５】
図２は、本発明の第１実施形態における着色板１２の平面図である。図２（ａ）は、着色板１２の一方の表面を示す平面図であり、図２（ｂ）は、着色板１２の他方の表面を示す平面図である。第１実施形態において着色板１２は円板状で平坦な部材であり、着色板１２の厚み方向は、軸線Ｌ１に垂直である。第１実施形態において軸線Ｌ１は、略水平に配置される。略水平は、水平を含むものとする。
【００２６】
第１実施形態における着色板１２の一方および他方の表面には、単色に塗られた単色領域１８がそれぞれ３つずつ含まれる。隣り合う単色領域１８は、およそ軸線方向に伸びる波型の線によって区分され、異なる色で塗り分けられる。着色板１２の一方の表面の３つの単色領域１８は、赤、青、黄の３色で塗り分けられる。着色板１２の他方の表面の３つは、マゼンダ、シアン、イエローの３色で塗り分けられる。着色板１２の一方および他方の表面において、３色の単色領域１８が並ぶ順番については規定しない。
【００２７】
図３は、本発明の第１実施形態における回転軸１９のうち、軸線方向一方Ｘ１の回転軸２１の斜視図である。着色板１２の軸線方向一方Ｘ１の端部および軸線方向他方Ｘ２の端部には、回転軸１９が取付けられる。軸線方向一方Ｘ１および他方の回転軸１９は、それぞれ軸受に接し、軸受によって支持される。回転軸１９のうち、少なくとも軸線方向一方Ｘ１の着色板１２端部に取り付けられる回転軸１９は、導電性部材２４と絶縁性被膜２６を含んで構成される。導電性部材２４は、銅の円柱状部材である。導電性部材２４の円柱の軸線Ｌ１は、着色板１２の回転の軸線Ｌ１に一致して配置される。絶縁性被膜２６は、導電性部材２４の軸線Ｌ１まわりに、半周だけ形成される。換言すれば、軸線方向に見て導電性部材２４は、半周だけ絶縁性被膜２６によって被覆され、残余の半周は導電性部材２４が露出する。
【００２８】
図４は、本発明の第１実施形態における軸受のうち、軸線方向一方Ｘ１の軸受２７を、軸線Ｌ１を含む平面で切断して見た断面図である。軸受は回転軸１９に接触し、回転軸１９を支持する材料である。軸受は、樹脂によって形成される。軸受には、回転軸１９の回転を検出する検出部１４が設けられる。検出部１４は、回転軸１９に接触する複数の接触部３１を含んで形成される。軸受けには、軸線Ｌ１に臨む軸受の表面に開口する孔２９が複数形成され、検出部１４の接触部３１は、軸受に形成される孔２９に嵌め込まれる。軸線方向一方Ｘ１の回転軸２１が軸受によって支持されるとき、検出部１４の接触部３１は回転軸１９に接触する。軸受に形成される複数の孔２９は軸線方向に並び、これに嵌め込まれる検出部１４の複数の接触部３１も軸線方向に並ぶ。第１実施形態において軸受に形成される孔２９および検出部１４の接触部３１は、それぞれ２つ形成される。検出部１４には起電力を示す電源が内臓され、２つの接触部３１は、異なった電位を有する。
【００２９】
軸線方向一方Ｘ１の回転軸２１のうち、絶縁性被膜２６が２つの接触部３１に接触するとき、２つの接触部３１間には電流は生じない。軸線方向一方Ｘ１の回転軸２１のうちの、露出する導電性部材２４が２つの接触部３１に接触するとき、２つの接触部３１間には電流が生じる。２つの接触部３１間に電流が生じる状態から電流が生じない状態へ、あるいは電流が生じない状態から電流が生じる状態へ変化するとき、検出部１４は、回転軸１９が回転しているとの情報を含む信号を、音声出力部１６に対して出力する。
【００３０】
２つの接触部３１間に電流が生じる状態、あるいは電流が生じない状態が一定時間続くと、検出部１４は、回転軸１９の回転は停止したと判断して、音声出力部１６に出力していた信号を停止させる。軸線方向他方Ｘ２の回転軸２２は、樹脂で形成されてもよく、金属で形成されてもよい。軸線方向他方Ｘ２の軸受２８は樹脂で形成される。軸線方向他方Ｘ２の軸受２８に検出部１４は配置されない。回転軸１９の回転が停止してから音声出力部１６が音声の出力を停止するまでの時間は、１秒〜数秒程度でもよく、数秒〜数十秒程度でもよく、１分〜数分程度でもよい。
【００３１】
音声出力部１６は、基体１１に設けられる。基体１１は、略水平で平坦な机上または床に載置され、軸線方向一方および他方の軸受２７，２８とアーム部３３によって接続される。アーム部３３は、基体１１を机上または床に載置した状態で基体１１の上方に略鉛直に立てて設けられ、軸線方向一方および他方の軸受２７，２８を、基体１１に対して固定する。略鉛直は、鉛直を含むものとする。
【００３２】
音声出力部１６およびスイッチ１７は、基体１１に設けられる。音声出力部１６は、検出部１４およびスイッチ１７に電気的に接続される。音声出力部１６は、音声を記憶している集積回路（Integrated Circuit, 略号「ＩＣ」）記憶装置、すなわちＩＣメモリと、スピーカとを含んで構成される。検出部１４が、音声出力部１６に対して、回転軸１９の回転を示す情報を含む信号を出力し始めると、音声出力部１６は童謡を出力し、音声によって幼児に刺激を与える。音声出力部１６は、検出部１４が回転軸１９の回転を示す信号を出力している間は、音声の出力を続け、検出部１４が信号の出力を停止して、回転軸１９の停止を示すと、音声の出力を停止させる。
【００３３】
スイッチ１７は、２つの状態を取り得る。２つの状態のうち一方の状態にあるとき、音声出力部１６は日本語によって歌唱される童謡を出力し、スイッチ１７が他方の状態にあるとき、音声出力部１６は英語によって歌唱される童謡を出力する。
【００３４】
外周部材１３は、着色板１２に関して反対側に配置される２つの部分を含んで構成される。外周部材１３は、着色板１２の厚み方向の２つの向きから、着色板１２を挟む。外周部材１３の２つの各部分は半球状に形成される透明な部材である。外周部材１３は、乾固した状態で透明な接着層によって着色板１２に固着される。外周部材１３および着色板１２は、全体で球形に形成される。外周部材１３を手指によって回転させると、着色板１２が外周部材１３とともに回転し、回転軸１９が回転する。着色板１２は、その厚み方向が軸線Ｌ１に垂直となる状態を維持して回転する。軸線Ｌ１は、着色板１２の中心を通る。
【００３５】
着色板１２が速く回転し、幼児の目に残像が残る時間以内に反転すれば、着色板１２の一方の表面の色と他方の表面の色とが混合されて見える。したがって、着色板１２を回転させることによって着色板１２の色が変化して見える。
【００３６】
第１実施形態によれば、着色板１２は、基体１１に対して軸線Ｌ１まわりに回転自在に設けられ、回転するときの軸線Ｌ１の相対位置は、基体１１に対して固定されるので、着色板１２を回転させるための外力を付与することによって、着色板１２が基体１１に対して移動することがない。また回転したときに、回転によって着色板１２が基体１１に対して移動することがない。これによって、幼児にとって着色板１２の回転を容易にすることができる。着色板１２の表面には、複数の単色領域１８が形成されるので、着色板１２の回転に伴って、複数の単色領域１８が残像によって重なり合い、残像によって色が変化して見える。したがって、残像を利用した視覚的な刺激を幼児に与えることができる。また複数の単色領域１８が形成されるので、静止している状態と回転している状態とで色が異なって見える。したがって、回転させる意欲を幼児に誘起させることができる。
【００３７】
また第１実施形態によれば、外周部材１３は着色板１２に対して固定されるので、外部空間に面する表面の任意の一部に手指を触れて外周部材１３を回転させると、着色板１２を回転させることができる。外周部材１３の外表面は、前記軸線Ｌ１を中心とする回転体として形成される。これによって、外周部材１３の表面の任意の一部に手指を触れて外周部材１３を回転させることが容易になる。したがって、着色板１２の回転を容易にすることができる。
【００３８】
また第１実施形態によれば、回転玩具１０は、音声を出力する音声出力部１６を含んで構成されるので、幼児に対して音声による刺激を与えることができる。また回転玩具１０は、着色板１２の回転を検出する検出部１４を含んで構成されるので、着色板１２の回転に伴って音声を出力することができる。これによって、回転させる意欲を幼児に誘起させることができる。
【００３９】
また第１実施形態によれば、音声出力部１６から出力される音声は、複数の言語で歌唱される歌を含み、スイッチ１７を含んで構成されることによって、異なる言語で歌唱される歌に切替えることができる。これによって、幼児に対して複数の言語の音声による刺激を与えることができる。したがって、複数の言語を習得する素養を、幼児に養わせることができる。
【００４０】
図５は、本発明の第２実施形態に係る回転玩具１０の斜視図である。第２実施形態に係る回転玩具１０は、基体１１と、着色板１２と、外周部材１３と、検出部１４と、音声出力部１６と、スイッチ１７と、回転軸１９と、軸受と、アーム部３３とを含んで構成される。これらのうち、基体１１と、検出部１４と、音声出力部１６と、スイッチ１７と、回転軸１９と、軸受と、アーム部３３とは、第１実施形態におけるものと同様である。
【００４１】
図６は、本発明の第２実施形態における着色板１２の平面図および斜視図である。図６（ａ）は、着色板１２の一方の表面を示す平面図であり、図６（ｂ）は、着色板１２の他方の表面を示す平面図であり、図６（ｃ）は、着色板１２の斜視図である。第２実施形態において着色板１２の形状は、円錐の側面の形状である。着色板１２の一方の表面は、円錐形の母線を含む側面の形状であり、凸の形状に形成される。着色板１２の他方の表面は、円錐形の母線を含む側面に接する凹の形状に形成される。着色板１２の一方および他方の表面は、それぞれ中心から外方へ直線的に延びる３つの直線によって等分され、それぞれ３つずつの単色領域１８が形成される。着色板１２の一方の表面の３つの単色領域１８は、赤、青、黄の３色で塗り分けられる。着色板１２の他方の表面の３つは、マゼンダ、シアン、イエローの３色で塗り分けられる。着色板１２の一方および他方の表面において、３色の単色領域１８が並ぶ順番については規定しない。
【００４２】
着色板１２の軸線方向一方Ｘ１の端部および軸線方向他方Ｘ２の端部には、回転軸１９が取付けられる。軸線方向一方Ｘ１および他方の２つの回転軸１９は、第１実施形態における回転軸１９とそれぞれ同様であり、回転軸１９のうち、少なくとも軸線方向一方Ｘ１の着色板１２端部に取り付けられる回転軸１９は、導電性部材２４と絶縁性被膜２６を含んで構成される。
【００４３】
第２実施形態において外周部材１３は、着色板１２を外囲し、着色板１２に固定される透明な部材である。外周部材１３は、外径が軸線Ｌ１を中心とする回転体として形成され、外周部材１３の外径は球状である。外周部材１３には内部空間が形成され、着色板１２の周辺部分は外周部材１３に対して内部から固着する。着色板１２の周辺を通過する仮想平面は、外周部材１３の外径の球の中心を通過して外周部材１３を２分する１つの仮想平面である。外周部材１３の軸線方向一方Ｘ１および他方の端部には外周部材１３の内部空間と外部空間とを連通させる貫通孔が形成され、着色板１２に取付けられた回転軸１９は、外周部材１３の貫通孔を貫通して軸受に接する。着色板１２および回転軸１９は、軸受によって支持される。
【００４４】
外周部材１３を手指によって回転させると、着色板１２が外周部材１３とともに回転する。外周部材１３および着色板１２が回転するとき、外周部材１３の外径の球の中心は、基体１１に対して相対位置を変化させることなく回転する。
【００４５】
第２実施形態によれば、着色板１２の一方の表面は凸面であり、他方の表面は凹面であるので、凸面である一方の表面と凹面である他方の表面とでは、幼児の目との距離が異なる。したがって、着色板１２を回転させると、凸面である一方の表面と凹面である他方の表面とでは、幼児の目との距離が変化する。これによって、幼児の立体感に対して刺激を与えることができる。一方および他方の表面は、相互に異なる色に着色された複数の単色領域１８をそれぞれ含み、一方の表面の単色領域１８と他方の表面の単色領域１８とは、回転させたときに残像によって重なり合って見える。一方および他方の表面が平坦である場合に比べて、複数の単色領域１８の、残像による重なりあいを複雑にすることができる。したがって、複数の単色領域１８の残像による複雑な重なり合いによって、多様な刺激を幼児に与えることができる。
【００４６】
着色板１２が回転するとき、着色板１２に形成される凸面と凹面が入れ替わり、立体的に変化する視覚的な刺激と、異なる複数の言語の童謡による聴覚的な刺激とによって、幼児を刺激し、幼児の大脳新皮質の脳細胞を刺激し、シナプスによって接続される神経細胞の回路の形成を促す。音声による刺激を、着色板１２の回転による視覚的な変化と同期させて幼児に与えることによって、幼児の知能指数の向上に寄与する。
【００４７】
図７は、本発明の第３実施形態に係る回転玩具１０の斜視図である。第２実施形態に係る回転玩具１０は、基体１１と、着色板１２と、外周部材１３と、検出部１４と、音声出力部１６と、スイッチ１７と、回転軸１９と、軸受と、アーム部３３とを含んで構成される。これらのうち、基体１１と、検出部１４と、音声出力部１６と、スイッチ１７と、軸受と、アーム部３３とは第１実施形態におけるものと同様である。
【００４８】
図８は、本発明の第３実施形態における着色板１２の平面図である。図８（ａ）は、着色板１２の一方の表面を示す平面図であり、図８（ｂ）は、着色板１２の他方の表面を示す平面図である。第３実施形態において着色板１２は、円板状で平坦な部材であり、着色板１２の厚み方向は、軸線Ｌ１に垂直である。着色板１２の一方の円形の表面は、「ベンハムのこま」と称されるこまの図柄に着色される。第３実施形態において着色板１２は、厚み方向を軸線方向に一致させて配置される。換言すれば、着色板１２の一方および他方のそれぞれの表面は、それぞれの表面に含まれる任意の点の回転による軌跡を含む。したがって、第３実施形態における着色板１２の一方および他方の表面は、回転に伴って同一の面内で回転する。
【００４９】
一方の円形の表面うち、円の中心を通る線分から片側半分の半円部分は、黒く着色され、残余の半円部分は、白地に黒い線が描かれた図柄である。白地の半円部分は、円の中心を通り、４５°ずつ互いに異なる３つの仮想線によって区分され、４５°の同じ大きさおよび形状の４つの扇形の部分に区分される。以下、４５°の同じ大きさおよび形状のそれぞれの扇形の部分を、周方向一方Ｒ１に並ぶ順番に、「第１部分」、「第２部分」、「第３部分」、「第４部分」と称する。軸線方向一方Ｘ１の側から軸線方向他方Ｘ２に向かって着色板１２を見るとき、反時計まわりを「周方向一方」と称する。
【００５０】
第１部分３６には、円の外縁に近い部分に、円の中心と同心の円の一部を成す３本の曲線が描かれる。３本の同心円の一部はそれぞれ曲率半径が異なり、円の中心から半径方向外方に向かうにつれて、等しい間隔に形成される。第２部分３７には、第１部分３６の３本の曲線よりも円の中心に近い部分に、円の中心と同心の円の一部を成す３本の曲線が描かれる。３本の同心円の一部はそれぞれ曲率半径が異なり、円の中心から半径方向外方に向かうにつれて、等しい間隔に形成される。
【００５１】
第３部分３８には、第２部分３７の３本の曲線よりも円の中心に近い部分に、円の中心と同心の円の一部を成す３本の曲線が描かれる。３本の同心円の一部はそれぞれ曲率半径が異なり、円の中心から半径方向外方に向かうにつれて、等しい間隔に形成される。第４部分３９には、第３部分３８の３本の曲線よりも円の中心に近い部分に、円の中心と同心の円の一部を成す３本の曲線が描かれる。３本の同心円の一部はそれぞれ曲率半径が異なり、円の中心から半径方向外方に向かうにつれて、等しい間隔に形成される。白地の半円部分においては、第１〜第４部分に形成された黒い曲線の部分が、それぞれ単色領域１８であり、黒い曲線の部分を除く残余の白地の部分が、１つの単色領域１８である。
【００５２】
着色板１２の他方の円形の表面は、「大王のこま」と称されるこまの図柄に着色される。他方の円形の表面は、円の中心と同心の４つの同心円によって区分される。４つの同心円はそれぞれ半径が異なり、円の中心から半径方向外方に向かうにつれて、等しい間隔に形成される。着色板１２の他方の表面の半径に対し、それぞれの同心円の半径は、２割、４割、６割、８割の半径を有する。またこの表面は、この表面に含まれ、円の中心を通過して互いに直交する２本の直線によって区分される。他方の円形の表面の、２本の直交する直線によって区分された４つの部分を周方向一方Ｒ１に向かうにつれて「第１象限」、「第２象限」、「第３象限」、「第４象限」と称する。
【００５３】
第１および第３象限４１，４３においては、円の中心に最も近い同心円の内側は白に着色され、円の外縁に向って同心円を境に、黒、白、黒、白に着色される。第２および第４象限４２，４４においては、円の中心に最も近い同心円の内側は黒に着色され、円の外縁に向って同心円を境に、白、黒、白、黒に着色される。したがって、１つの同心円と、これに隣り合う同心円との間に位置する部分においては、第１象限４１から第２象限４２、第３象限４３、第４象限４４と場所を変える毎に白と黒とが隣り合う。
【００５４】
第３実施形態において外周部材１３は、着色板１２を外囲し、着色板１２に固定される透明な部材である。外周部材１３は、外表面が軸線Ｌ１を中心とする回転体として形成され、外周部材１３の外形は球状である。外周部材１３には内部空間が形成され、着色板１２の周辺部分は外周部材１３に対して内部から固着する。着色板１２の周辺を通過する仮想平面は、外周部材１３の外径の球の中心を通過して外周部材１３を２分する１つの仮想平面である。外周部材１３の軸線方向一方Ｘ１および他方の端部には、回転軸１９が取付けられる。
【００５５】
軸線方向一方Ｘ１および他方の回転軸１９は、それぞれ軸受に接し、軸受によって支持される。第３実施形態における軸線方向一方Ｘ１および他方の回転軸１９は、外周部材１３に取付けられることを除いては、第１実施形態における軸線方向一方Ｘ１および他方の回転軸１９とそれぞれ同様である。外周部材１３を手指によって回転させると、着色板１２が外周部材１３とともに回転する。外周部材１３および着色板１２が回転するとき、外周部材１３の外径の球の中心は、基体１１に対して相対位置を変化させることなく回転する。
【００５６】
ベンハムのこまの図柄に着色された着色板１２の一方の表面および大王のこまの図柄に着色された着色板１２の他方の表面は、白および黒に着色された単色領域１８が形成され、白および黒以外の色に着色された単色領域１８は形成されていない。しかし、これを回転させると、白、黒または灰色の色以外の色に着色されたように見える。たとえば赤、青などの色に着色された部分が見られる。ベンハムのこまの図柄に着色された一方の表面については、回転している状態でカメラによって撮像しても、着色されたようには見えない。ベンハムのこまの図柄が、回転によって彩度をもつ色に着色されたように見えるのは、眼球の網膜の細胞または視神経の影響によるものとされる。
【００５７】
大王のこまの図柄に着色された他方の表面については、蛍光灯の下で回転している状態をカメラによって撮像すると、青に着色されたように見える部分と橙色に着色されたように見える部分とが撮像できる。空間的に同じ経路を通過して照射される光が、異なる時間において着色板１２の白の領域と黒の領域とに照射され、白の領域と黒の領域とに反射された光が空間的に同じ経路を通過して交互に通過する。これによって、蛍光灯の光に含まれる青い色の光と橙色の光とが分解されて反射されるためだと解釈できる。
【００５８】
第３実施形態によれば、着色板１２の一方および他方のそれぞれの表面は、それぞれの表面に含まれる任意の点の回転による軌跡を含む。これによって、こまが回転することによって観測されるこま表面の状態と同様の現象が、単色領域１８が回転することによって観測される。たとえば着色板１２の表面が、静止した状態よりも平滑に見え、ベンハムのこまの図柄および大王のこまの図柄が回転することによって、彩度のある色に着色された領域が存在するように見える。これによって、回転する物体の、静止した状態との視覚的な差異によって、幼児に刺激を与えることが可能になる。
【００５９】
第２実施形態において着色板１２の一方の表面は、円錐形の母線を含む側面の形状であり、凸の形状に形成され、他方の表面は、円錐形の母線を含む側面に接する凹の形状に形成されるものとしたけれども、他の実施形態において着色板は、内部に空間が形成される球のうちの一部分を成す形状として形成されてもよい。たとえば、着色板の一方の表面は、球面の形状であり、凸の形状に形成され、他方の表面は、球面に接する凹の形状に形成されてもよい。
【００６０】
第１〜第３実施形態において外周部材１３は、着色板１２を外囲または挟む形状としたけれども、外周部材１３の外表面は、軸線Ｌ１を中心とする回転体として形成され、着色板１２の着色された表面の少なくとも一部を覆って、着色板１２に対して固定される透明な部材であり、外表面が着色板１２とともに、あるいは独自に、回転体を成す部材であれば、足りる。たとえば他の実施形態において外周部材は、着色板とともに球を形成する部材であってもよい。全体の外表面が球形を成し、球の中心を通る仮想平面によって分割されて形成された２つの半球状の部材のうち、一方が着色板とし、他方が外周部材として形成されてもよい。
【００６１】
第１〜第２実施形態において、着色板１２の一方または他方の表面は、それぞれ３つの単色領域１８に区分されたけれども、着色板１２の表面には、相互に異なる色に着色された複数の領域が形成されていればよい。たとえば他の実施形態において着色板の一方および他方の表面は、４つ以上の単色領域を含んで形成されてもよいし、５つ以上の単色領域を含んで形成されてもよい。また単色領域の形状は、まだら状の不定形であってもよい。
【００６２】
第１〜第３実施形態において、音声出力部１６は、検出部１４が着色板１２の回転を検出すると、音声を出力し、着色板１２が停止すると、一定時間後に音声の出力を停止するものとしたけれども、他の実施形態において音声出力部は、着色板の回転および停止に関わらず音声を出力してもよい。またスイッチは、異なる言語で歌唱される歌に切替えるものとしたけれども、他の実施形態においてスイッチは、音声出力部による音声の出力とその停止を切替える機能をさらに含んでいてもよい。
【００６３】
第１〜第３実施形態において、音声出力部１６が出力する音声は、複数の言語によって歌唱される童謡としたけれども、童謡以外の歌を出力してもよく、また歌ではなく、説明を行う音声を含んで構成されてもよい。
【００６４】
第１および第２実施形態において着色板１２の一方の表面には、赤、青、黄の３色の単色領域１８が形成され、他方の表面には、マゼンダ、シアン、イエローの３色の単色領域１８が形成されるものとしたけれども、それぞれの色は他の色であってもよい。たとえば他の実施形態において、一方または他方の表面に、青緑、黄橙、青紫の３色の単色領域が形成されてもよい。
【００６５】
着色板１２および外周部材１３は、基体１１から取外し可能に形成されてもよい。たとえば、着色板１２および外周部材１３を基体１１のアーム部３３から取外し、着色板１２または外周部材１３に取付けられた回転軸１９を取外せば、着色板１２および外周部材１３をボールとして遊ぶことが可能になる。ボールで遊ぶことが難しい幼児が成長するにつれて、基体１１に対して相対位置が固定された軸線Ｌ１まわりに回転する着色板１２および外周部材１３を、ボールとしても遊ばせることによって、幼児の成長に応じた遊びを促すことができる。
【００６６】
第１〜第３実施形態において外周部材１３の外形は、球形であるものとしたけれども、外周部材１３の外形は、軸線Ｌ１を中心とする回転体の少なくとも一部であれば、足りる。たとえば他の実施形態において外周部材の外形は、軸線方向に延びる円筒形であってもよい。
【００６７】
第１〜第３実施形態において音声出力部１６から出力される音声は、日本語と英語による歌であるものとしたけれども、音声出力部１６から出力される音声は、複数の言語を含むものであればよい。たとえば他の実施形態において複数の言語は、日本語とドイツ語であってもよく、さらに他の実施形態においては、英語と中国語であってもい。また音声出力部１６は、３つ以上または４つ以上の言語による音声を出力してもよい。スイッチは、音声出力部が出力する言語の数以上の状態の数を取り得ることが好ましい。たとえば音声出力部が３つの言語による音声を出力する場合は、スイッチは３つ以上の状態を取り、音声出力部が４つの言語による音声を出力する場合は、スイッチは４つ以上の状態を取り得ることが好ましい。
【００６８】
第１〜第３実施形態において着色された領域のそれぞれは、単色であるものとしたけれども、他の実施形態において、着色された領域は、単色ではなく、場所によって色が無段階的に変化して着色されてもよい。
【００６９】
第３実施形態において、着色板１２の一方および他方の表面は、それぞれベンハムのこまの図柄および大王のこまの図柄としたけれども、他の実施形態において、着色板の表面は、回転によって静止状態よりも高い彩度の部分が見える図柄であってもよい。たとえばベンハムのこまの図柄において、黒く着色された部分は半円形ではなく、１８０°未満の扇形とし、白地部分を仮想直線によって４分割して形成される扇形の各部分は、４５°よりも大きい角度の扇形であってもよい。また白地に着色された黒い曲線は、４分割して形成される扇形の各部分において２本以下または４本以上の曲線として着色されてもよい。
【００７０】
大王のこまの図柄については、着色板１２が回転することによって、基体１１に対して相対的に同じ位置で白の領域と黒の領域とが交互に繰返される構成であればよい。空間的に同じ経路を通過して照射される光が、異なる時間において着色板１２の白の領域と黒の領域とに照射され、白の領域と黒の領域とに反射された光が空間的に同じ経路を通過して交互に通過すれば、回転によって静止状態よりも高い彩度の部分を見ることができる。着色板１２が一定の角速度で回転するとき、基体１１に対して相対的に同じ位置で繰返される白い領域の通過時間と黒い領域の通過時間とは、同じであることが好ましい。
【図面の簡単な説明】
【００７１】
【図１】本発明の第１実施形態に係る回転玩具１０の斜視図である。
【図２】本発明の第１実施形態における着色板１２の平面図である。
【図３】本発明の第１実施形態における回転軸１９のうち、軸線方向一方Ｘ１の回転軸２１の斜視図である。
【図４】本発明の第１実施形態における軸受のうち、軸線方向一方Ｘ１の軸受２７を、軸線Ｌ１を含む平面で切断して見た断面図である。
【図５】本発明の第２実施形態に係る回転玩具１０の斜視図である。
【図６】本発明の第２実施形態における着色板１２の平面図および斜視図である。
【図７】本発明の第３実施形態に係る回転玩具１０の斜視図である。
【図８】本発明の第３実施形態における着色板１２の平面図である。
【図９】従来技術に係る補助つき独楽１の側面図である。
【符号の説明】
【００７２】
１０  回転玩具
１１  基体
１２  着色板
１３  外周部材
１４  検出部
１６  音声出力部
１７  スイッチ
１８  単色領域
１９  回転軸
２１  軸線方向一方の回転軸
２２  軸線方向他方の回転軸
２４  導電性部材
２６  絶縁性被膜
２７  軸線方向一方の軸受
２８  軸線方向他方の軸受
２９  孔
３１  接触部
３３  アーム部
【図１】
2008301963.tif 000003
【図２】
2008301963.tif 000004
【図３】
2008301963.tif 000005
【図４】
2008301963.tif 000006
【図５】
2008301963.tif 000007
【図６】
2008301963.tif 000008
【図７】
2008301963.tif 000009
【図８】
2008301963.tif 000010
【図９】
2008301963.tif 000011